(57)【要約】【課題】移動什器に設けられた受電部を外部に露呈しにくくする。【解決手段】床面上に移動可能に設けられ、上部に天板４を具備し、天板４の下方に天面を有する空間形成部１６を具備する移動什器１と、床面上に載置され、移動什器１が所定の組み合わせ状態に組み合わされる固定什器３０と、固定什器３０に設けられた給電部３３と、移動什器１に設けられ、移動什器１が所定の組み合わせ状態となったときに給電部３３からの給電を受ける受電部２２とを有する什器システムにおいて、受電部２２を、天面の下方に近接して配置する。【選択図】図４
2012019877.tif 000002
【特許請求の範囲】
【請求項１】
床面上に移動可能に設けられ、上部に天板を具備し、該天板の下方に天面を有する空間形成部を具備する移動什器と、
床面上に載置され、前記移動什器が所定の組み合わせ状態に組み合わされる固定什器と、
前記固定什器に設けられた給電部と、
前記移動什器に設けられ、前記移動什器が前記所定の組み合わせ状態となったときに前記給電部からの給電を受ける受電部とを有する什器システムであって、
前記受電部は、前記天面の下方に配置されていることを特徴とする什器システム。
【請求項２】
請求項１に記載の什器システムにおいて、
前記移動什器は、前記天板の下方に物品を収容するための物品収容部を備え、
前記天面は、前記物品収容部の下面であることを特徴とする什器システム。
【請求項３】
請求項１に記載の什器システムにおいて、
前記天面は、前記天板の下面であることを特徴とする什器システム。
【請求項４】
請求項３に記載の什器システムにおいて、
前記給電部から前記受電部へ給電可の状態で、これらが前記天板の下方に配置されていることを特徴とする什器システム。
【請求項５】
請求項１から４のいずれか１項に記載の什器システムにおいて、
前記受電部は、前記天面の下方で、これに近接して配置されていることを特徴とする什器システム。
【請求項６】
請求項１から３のいずれか１項に記載の什器システムにおいて、
前記固定什器は、前記移動什器の少なくとも一部を収容可能な什器収容部を有し、
前記給電部は、前記什器収容部の天面の下方に設けられていることを特徴とする什器システム。
【請求項７】
請求項１から６のいずれか１項に記載の什器システムにおいて、
前記移動什器及び前記固定什器の少なくとも一方に、前記給電部と前記受電部とが電気的に接続されたことを外部に示す表示装置を設けたことを特徴とする什器システム。
【発明の詳細な説明】
【技術分野】
【０００１】
本発明は、オフィスや病院、公共施設等における執務空間、および家庭等の居住空間にて使用され、給電部が設けられたテーブル等の固定什器と、この給電部からの給電を受ける受電部が設けられたカート等の移動什器と、とを備える什器システムに関する。
【背景技術】
【０００２】
従来から、物品を載置、収納する手段を有しつつ、床面上を走行可能なカート等の移動什器が知られている。このようなカートは、例えば、病院や介護施設等で病室を回診する際などに利用されており、近年、カルテなどの電子化に伴って、情報端末などの電子機器を載置可能とするカートが提案されてきている。
具体的には、床面上を走行するキャスタと、所定の向きで電子機器を載置可能な天板と、カートを操作するための操作部となる取っ手とを備えるものが提案されている（例えば、特許文献１、２参照）。そして、このようなカートでは、操作部となる取っ手を把持しながら押すことでカートを走行させて移動しつつ、天板上の電子機器を利用することが可能である。
【０００３】
また、カートと、このカートの一部を収容可能に構成されたテーブル等の固定什器とを組み合わせた什器システムも知られている。カートは、例えば、テーブルの天板の下の空間に収容されるように構成されており、このような構成とすることによって、執務空間としての使い勝手及び体裁を良好とすると共に、カートとしての使い勝手及び体裁も良好に収めることができる。
【０００４】
一方、カートとテーブルとを組み合わせた什器システムにおいて、カートに載置された電子機器に電力を供給したり、電子機器に用いられるバッテリーを充電したりするための装置を備えたものもある。このシステムは、テーブル側にコネクタ形状の給電部を設けると共に、カート側にテーブル側のコネクタに対応する受電部を設け、テーブル側にカートを収容した際に、コネクタ同士が接続されることで、カート側の電子機器に電力が供給されるように構成したものである。
【先行技術文献】
【特許文献】
【０００５】
【特許文献１】特開２００５−４６４１２号公報
【特許文献２】特開２００８−１４２２７８号公報
【発明の概要】
【発明が解決しようとする課題】
【０００６】
ところで、什器システムの使用環境によっては、これら什器周辺で水や薬液を使用した作業を行うことも多い。しかしながら、上述したような給電装置を具備した什器システムの場合、誤ってコネクタ部が水や薬液がコネクタ部に接触することによって、漏電や感電してしまうという問題がある。
【０００７】
本発明は、上述する事情に鑑みてなされたもので、移動什器に設けられた受電部を露呈しにくくすることができ、移動什器近傍で水や薬液を使用した場合においても、水や薬液が受電部に接触することによる漏電、感電のおそれをさらに低減することができ、安全性を向上させることができる什器システムを提供することを目的とする。
【課題を解決するための手段】
【０００８】
上記課題を解決するために、この発明は以下の手段を提案している。
本発明の什器システムは、床面上に移動可能に設けられ、上部に天板を具備し、該天板の下方に天面を有する空間形成部を具備する移動什器と、床面上に載置され、前記移動什器が所定の組み合わせ状態に組み合わされる固定什器と、前記固定什器に設けられた給電部と、前記移動什器に設けられ、前記移動什器が前記所定の組み合わせ状態となったときに前記給電部からの給電を受ける受電部とを有する什器システムであって、前記受電部は、前記天面の下方に配置されていることを特徴としている。
【０００９】
この発明に係る什器システムによれば、移動什器に設けられた受電部を露呈しにくくすることができ、什器としての体裁を良好なものとすることができる。また、移動什器近傍で水や薬液を使用した場合においても、水や薬液が受電部に接触することによる漏電、感電のおそれをさらに低減することができ、安全性を向上させることができる。
【００１０】
また、上記の什器システムにおいて、前記移動什器は、前記天板の下方に物品を収容するための物品収容部を備え、前記天面は、前記物品収容部の下面であるという構成としてもよい。
また、上記の什器システムにおいて、前記天面は、前記天板の下面であるという構成としてもよい。
【００１１】
また、上記の什器システムにおいて、前記給電部から前記受電部へ給電可の状態で、これらが前記天板の下方に配置されていることが好ましい。
この発明に係る什器システムによれば、接続した状態における給電部及び受電部を露呈しにくくすることができ、什器としての体裁を良好なものとすることができる。また、移動什器近傍で水や薬液を使用した場合においても、水や薬液が給電部と受電部の接続部に接触することによる漏電、感電のおそれをさらに低減することができ、安全性を向上させることができる。
【００１２】
また、上記の什器システムにおいて、前記受電部は、前記天面の下方で、これに近接して配置されていても良い。
【００１３】
また、上記の什器システムにおいて、前記固定什器は、前記移動什器の少なくとも一部を収容可能な什器収容部を有し、前記給電部は、前記什器収容部の天面の下方に設けられていることが好ましい。
この発明に係る什器システムによれば、固定什器の給電部を露呈しにくい位置に配設することができ、什器としての体裁を良好なものとすることができる。また、固定什器近傍で水や薬液を使用した場合においても、水や薬液が給電部に接触することによる漏電、感電のおそれをさらに低減することができ、安全性を向上させることができる。
【００１４】
また、上記の什器システムにおいて、前記移動什器及び前記固定什器の少なくとも一方に、前記給電部と前記受電部とが電気的に接続されたことを外部に示す表示装置を設けることが好ましい。
この発明に係る什器システムによれば、給電部または受電部を外方から露呈しにくい位置に配設した場合においても、これらが接続され、電力が供給されているか否かを表示装置によって確認することができ、使い勝手を良好なものとすることができる。
【発明の効果】
【００１５】
本発明によれば、移動什器に設けられた受電部を露呈しにくくすることができ、移動什器近傍で水や薬液を使用した場合においても、水や薬液が受電部に接触することによる漏電、感電のおそれをさらに低減することができ、安全性を向上させることができる。
【図面の簡単な説明】
【００１６】
【図１】本発明の実施形態の什器システムの全体構成を示す斜視図である。
【図２】図１のＡ方向から見たカートの側面図である。
【図３】表示装置の表示装置を示す図である。
【図４】什器システムの組み合わせ状態を示す断面図である。
【図５】本発明の第二の実施形態の什器システムを示す斜視図である。
【図６】図５のＢ方向から見た什器システムの側面図である。
【図７】本発明の第三の実施形態の什器システムを示す側面図である。
【図８】本発明の第四の実施形態の什器システムを示す側面図である。
【発明を実施するための形態】
【００１７】
（第一の実施形態）
以下、本発明の実施形態の什器システムについて図面を参照して詳細に説明する。図１は、什器システムの全体構成を示す斜視図である。
本実施形態の什器システムは、カート１（移動什器）、固定式テーブル３０（固定什器）とから構成され、床面上に固定的に設置された固定式テーブル３０に対して、床面上を移動可能なカート１を組み合わせて使用することが可能となっている。また、固定式テーブル３０に対して、複数のカート１を組み合わせる構成とすることができる。
【００１８】
図１に示すように、カート１を固定式テーブル３０に向けて前方に移動させ、カート１の進入部１６に固定式テーブル３０の天板３２を進入させることにより、カート１の天板４上に、パソコンＰ等を載置したままの状態で、カート１の収容部１０を、固定式テーブル３０の天板３２の下方に潜入させて使用することができる。
本実施形態の什器システムは、このようにカート１と固定式テーブル３０を組み合わせることで、固定式テーブル３０側に固定的に設けられた給電部と、カート１に設けられた受電部とが接続されるように構成されている。
【００１９】
次に、本実施形態のカート１について図面を参照して詳細に説明する。図２は、図１のＡ方向から見たカート１の側面図である。なお、以下の説明において、図２の右方向を「前方」とし、左方向を「後方」とする。
本実施形態のカート１は、図１および図２に示すように、４つのキャスタ２と、キャスタ２により支持された金属製のフレーム３と、フレーム３の上部に載置された天板４とを主な構成要素として備えている。
【００２０】
フレーム３は、側面枠６，６、ハンドル部１３，１３、第一天板支持材１４，１４、及び第二天板支持材１５等からなり、カート１を構成する天板４を支持すると共に、収容部１０を画定している。
【００２１】
フレーム３は、側面視倒立Ｕ字形をなす左右１対の側面枠６，６によって、カート１の両側面を構成している。各側面枠６は、前部支柱６１と、後部支柱６２と、前部支柱６１の上端から後方に向けて水平に延び、かつ後部支柱６２に連結された横桟６３とにより枠組みされている。４つのキャスタ２は、前部支柱６１、及び後部支柱６２の下端に取り付けられている。また、前部支柱６１の下端と後部支柱６２の下端は、それぞれ下桟８によって連結されている。さらに、一対の下桟８は、複数の連結棹８ａによって連結されている。
【００２２】
上下方向を向く前部支柱６１は、カートの操作時に、障害物等との衝突による収容物の破損を防止する保護部材となる。前後両支柱６１，６２間には、複数のワイヤー部材７が上下に所望の間隔をもって前後方向に沿って架設されている。
【００２３】
左右の側面枠６，６は、その前方上部間が連結杆９により連結されている。これにより、カート１の左右両側面が、左右の側面枠６，６により保護されるとともに、前後両面に、収容物の取り出し口が形成された収容部１０が形成されている。
収容部１０内における左右の側面枠６，６間には、収容物を収容可能な上下２段のトレイ１１，１１が配設されている。各トレイ１１は、各側面枠６における前後両支柱６１，６２間に架設された支持ワイヤー部材１２によって着脱自在に支持されている。
【００２４】
左右の後部支柱６２，６２における各々の上部には、収容部１０の上面より上方に離間する位置において、円弧状をなして前方に折曲させることにより、円弧状の折曲部と、前向部とが形成され、この折曲部により、カート操作用のハンドル部１３，１３（操作部）が、また前向部により、第一天板支持材１４，１４がそれぞれ形成されている。第一天板支持材１４，１４は、その前方端部において、第二天板支持材１５により連結されている。これにより、第一天板支持材１４，１４、及び第二天板支持杆１５は、平面視Ｕ字形をなしている。
【００２５】
これら第一天板支持材１４，１４、及び第二天板支持材１５上には、天板４が載置され、かつ固定されている。これにより、収容部１０の上面と、天板支持材１４，１５及び天板４の下面との間には、前方および両側方に開口する、後記するテーブル３０等の天板３２の進入部１６（空間形成部）が形成されている。つまり、進入部１６は、天板４の下方に具備されており、この進入部１６の天面は天板４の下面となっている。
【００２６】
ハンドル部１３，１３である両支柱６２，６２の円弧状の折曲部の上面および後面には、軟質パット１３ａがそれぞれ設けられている。ハンドル部１３，１３は、収容部１０より後方および両側方に突出することがないので、不使用時におけるカート収容スペースの縮小化を図ることができる。
【００２７】
各第一天板支持材１４には、前後１対の固定ねじ１７，１７によりストッパ１８が固着されている。このストッパ１８の上面は、第一天板支持材１４の上方に突出させることにより、天板４の下面を支持する天板受け部材を兼ねている。
【００２８】
天板４の下面であって、前端４ｂより離間した位置には、下方に突出するように直方体形状の受電側コネクタ２２（受電部）が設けられている。言い換えれば、受電側コネクタ２２は、進入部１６の天面の下方で、これに近接して配置されている。
受電側コネクタ２２の前面（図２における右側）には、オス型端子と吸着板とが設けられており、マグネットを備える給電側コネクタ３３（後述する）と磁気的に吸着することによって、電気的な接続状態を確立するマグネット機構を構成している。また、受電側コネクタ２２には、パソコンＰ等の電子機器のプラグが接続可能なコンセント（図示せず）が取り付けられている。
【００２９】
前述したように、受電側コネクタ２２の前面は、天板４の前端４ｂに対して後方に離間している。受電側コネクタ２２は、具体的には、受電側コネクタ２２と略同形状の給電側コネクタ３３が受電側コネクタ２２と接続された際（つまり、給電可の状態）、給電側コネクタ３３が、カート１の天板４の下方に配置されるように、天板４の前端４ｂに対して十分後方に離間した位置に取り付けられている。
【００３０】
天板４の上面であって、後端４ａには、表示装置２３が取り付けられている。図３に表示装置２３の拡大図を示す。表示装置２３は、板状の表示装置本体２３ａと、この表示装置本体２３ａの一面に設けられている表示画面２４とから構成されており、バッテリー２１の状態等を表示するものである。表示装置２３の詳細については後述する。
【００３１】
次に、本実施形態の固定式テーブル３０について説明する。固定式テーブル３０は、支柱３１及び天板３２を主な構成要素として有している。天板３２は、任意の位置を支柱３１によって支持されている。天板３２は、カート１を前方に移動させた際、天板３２の上面が、天板支持材１４，１５に接触せず、かつ、天板３２の下面がフレーム６の横桟６３に接触しないような高さにされている。
【００３２】
図１及び図４に示すように、固定テーブル３０の天板３２の上面には、メス型端子とマグネットを有する給電側コネクタ３３（給電部）が設けられている。給電側コネクタ３３は、電力を供給が可能な、図示しない電源線と電気的に接続されている。
給電側コネクタ３３は、カート１を固定式テーブル３０の任意の位置まで挿入した際、受電側コネクタ２２と給電側コネクタ３３が接続されるような位置に配置されている。互いに磁気的に吸着された受電側コネクタ２２の吸着板と給電側コネクタ３３のマグネットとは、その吸着力よりも大きい外力によって、互いに離間できるように構成されている。
【００３３】
天板３２の下面には、所定の間隔で固定された一対の棒状の部材である、一対のカートガイド３４が設けられている。カートガイド３４は、カート１を固定式テーブル３０に向かって前進させた際、カート１のフレーム３を当接させながらカート１の位置を修正し、受電側コネクタ２２が、給電側コネクタ３３に接続されるように導く部材である。
【００３４】
次に、図３を参照して表示装置２３について説明する。表示装置２３は、表示装置本体２３ａと、表示画面２４とから構成されている。
表示画面２４には、受電側コネクタ２２と給電側コネクタ３３とが電気的に接続されたことを示す接続ランプ２４ａが表示されている。
また、表示装置２３は、図示しない制御回路を備えている。この制御回路はコネクタ２２，３３の状態を監視しており、これにより、表示装置２３は、受電側コネクタ２２と給電側コネクタ３３とが接続された際、接続ランプ２４ａと点灯させることができる。
【００３５】
図４は、カート１の収容部１０を、テーブル３０の天板３２の下方に潜入させた状態を示す。図４に示すように、カート１を、テーブル３０に向けて前方に移動し、進入部１６にテーブル３０の天板３２を進入させることにより、カート１の天板４上に、パソコンＰ等を載置したままの状態で、カート１の収容部１０を、テーブル３０の天板３２の下方に潜入させて使用することができる。さらに、固定式テーブル３０の給電側コネクタ３３と、カート１の受電側コネクタ２２とを接続させ、パソコンＰ等の電子機器に電力を供給することができる。
【００３６】
進入部１６に進入してきたテーブル３０の天板３２は、ハンドル部１３および天板４の後端４ａより前方における第一天板支持材１４の下面に設けられたストッパ１８に当接し、それ以上の進入が阻止されるので、ハンドル部１３を握る使用者の手が、テーブル３０の天板３２で挟まれることがなく、また、収容部１０の上面がテーブル３０の天板３２により、完全に覆われるのを防止し、カートの後上方からの収容物の確認、および出し入れを行うことができる。
【００３７】
この際、カート１の天板４は、固定式テーブル３０のカートガイド３４によって、左右方向の位置が調整され、所定の位置に案内される。また、給電側コネクタ３３と受電側コネクタ２２とが接続されると、表示装置２３の表示画面２４の接続ランプ２４ａが点灯する。
また、図４から明らかなように、コネクタ３３，２２同士が接続された状態においては、受電側コネクタ２２のみならず、給電側コネクタ３３も天板４の下方に配置される。
【００３８】
本実施形態によれば、カート１に設けられた受電側コネクタ２２が、カート１の天板４の下面の下方でこれに近接して配置されていることによって、受電側コネクタ２２を露呈しにくくすることができ、什器としての体裁を良好なものとすることができる。また、カート１の近傍で水や薬液を使用した場合においても、水や薬液が受電側コネクタ２２に接触することによる漏電、感電のおそれをさらに低減することができ、安全性を向上させることができる。
【００３９】
また、コネクタ３３，２２同士が接続された状態においては、受電側コネクタ２２のみならず、給電側コネクタ３３も天板４の下方に配置される。これにより、接続した状態における給電側コネクタ３３及び受電側コネクタ２２を露呈しにくくすることができる。
また、表示装置２３を設けたことによって、給電側コネクタ３３または受電側コネクタ２２を外方から露呈しにくい位置に配設した場合においても、これらが接続され、電力が供給されているか否かを確認することができ、使い勝手を良好なものとすることができる。
【００４０】
また、受電側コネクタ２２と給電側コネクタ３３との接続機構にマグネット機構を採用した。これにより、コネクタ同士の接続の解除を忘れてカート１を固定式テーブル３０から離間させるように移動させてしまった場合においても、カート１を操作する力がマグネット機構による接続力よりも大きければ、その接続が自動的に解除されるため、使用時における安全性を確保することができる。
【００４１】
（第二の実施形態）
次に、本発明の第二の実施形態について図面に基づいて説明する。図５は、第二の実施形態の什器システムの全体構成を示す斜視図である。図６は、第二の実施形態の什器システムを示す側面図である。なお、以下の説明において、図６の右方向を「前方」とし、左方向を「後方」とする。
【００４２】
図５に示すように、本実施形態の什器システムは、キャビネット４０（移動什器）、固定式テーブル５０（固定什器）とから構成され、床面上に固定的に設置された固定式テーブル５０に対して、床面上を移動可能なキャビネット４０を組み合わせて使用することが可能となっている。
キャビネット４０は、後面に開口部を有した直方体形状の本体４０ａと、天板４１と、本体の内部を二分割するように、本体の後面に設けられた２つの引き出し４２，４２と、キャスタ４３とから構成されている。キャビネット４０は、２つの引き出し４２，４２の内部に電子機器等の物品を収納が可能である。
固定テーブル５０は、天板５１と、垂直板５２と、スタンド部５３とから構成されている。
【００４３】
図６の側面図に最もよく示されているように、キャビネット４０の天板４１は、本体４０ａに対して前方にやや突出している。これにより、天板４１の下方には空間（空間形成部）が形成される。
受電側コネクタ４４（受電部）が、この突出部における天板４１の下面に、下方に突出するように設けられている。つまり、受電側コネクタ４４は、前記空間の天面に近接して配置されている。受電側コネクタ４４の前面（図６における右側）には、オス型端子と吸着板が設けられている。また、受電側コネクタ４４には、パソコンＰ等の電子機器のプラグが接続可能なコンセントが取り付けられており、該コンセントは引き出し４２内に配置されている。
【００４４】
一方、固定式テーブル５０の天板５１の下方には、垂直板５２から後方（図６における左側）に突出するように給電側コネクタ５３が設けられている。給電側コネクタ５３の後面には、メス型端子とマグネットが設けられている。給電側コネクタ５３は、床面からの高さが、受電側コネクタ４４と略同じ高さに設置されている。
【００４５】
これらのコネクタ４４，５３は、キャビネット４０を固定式テーブル５０に向けて前方に移動し、天板５１の下方に潜入させた際に、電気的に接続されるように構成されている。
【００４６】
本実施形態は、キャビネット４０に設けられた受電側コネクタ４４がキャビネット４０の天板４１の下方に設けられていると共に、固定式テーブル５０に設けられた給電側コネクタ５３が固定式テーブル５０の天板５１の下方に設けられている。これにより、受電側コネクタ４４に加えて、固定式テーブル５０の給電側コネクタ５３を外部に露呈しにくい位置に配設することができ、什器としての体裁を良好なものとすることができる。また、固定式テーブル５０近傍で水や薬液を使用した場合においても、水や薬液が給電側コネクタ５３、及び受電側コネクタ４４に接触することによる漏電、感電のおそれをさらに低減することができ、安全性を向上させることができる。
【００４７】
（第三の実施形態）
次に、本発明の第三の実施形態について図面に基づいて説明する。図７は、第三の実施形態の什器システムを示す側面図である。なお、本実施形態では、上述した第二の実施形態との相違点を中心に述べ、同様の部分についてはその説明を省略する。
【００４８】
図７に示すように、本実施形態のキャビネット４０Ａは、天板４１Ａの下部に物品収容部４５を有しており、この物品収容部４５の下面に受電側コネクタ４４Ａを具備している。受電側コネクタ４４Ａには、パソコン等の電子機器のプラグが接続可能なコンセントが取り付けられており、該コンセントは引き出し物品収容部４５に配置されている。
固定テーブル５０側の給電側コネクタ５３Ａは、床面からの高さが、この給電側コネクタ４４Ａと略同じ高さに設置されている。
【００４９】
本実施形態は、天板４１Ａの下部に設けられた物品収容部４５の下面に受電側コネクタ４４Ａを具備する構成とした。これにより、受電側コネクタ４４Ａに加えて、固定式テーブル５０の給電側コネクタ５３Ａを外部に露呈しにくい位置に配設することができ、什器としての体裁を良好なものとすることができる。
【００５０】
（第四の実施形態）
次に、本発明の第四の実施形態について図面に基づいて説明する。図８は、第四の実施形態の什器システムを示す側面図である。なお、本実施形態では、上述した第一の実施形態との相違点を中心に述べ、同様の部分についてはその説明を省略する。
【００５１】
第四の実施形態の什器システムを構成するカート１Ｂは、第一の実施形態のカート１の受電側コネクタ２２が天板４の下面に設けられていることに対し、受電側コネクタ２２Ｂが天板４Ｂの下方に設けられていることを特徴としている。
具体的には、第四の実施形態のカート１Ｂのフレーム６を構成する一対の横桟６３の間には、バッテリー部５が設けられており、受電側コネクタ２２Ｂはこのバッテリー部５の前面に突出するように設けられている。一方、このカート１Ｂと組み合わされて使用される固定式テーブル３０Ｂの天板３２Ｂの下方には、この受電側コネクタ２２Ｂと同じ高さになるように、給電部３３Ｂが設けられている。
【００５２】
また、受電側コネクタ２２Ｂの上方は、天板４Ｂに覆われている。言い換えれば、受電側コネクタ２２Ｂは天板４Ｂの下方に配置されており、これにより、受電側コネクタ２２Ｂを露呈しにくくすることができ、什器としての体裁を良好なものとすることができる。また、カート１Ｂの近傍で水や薬液を使用した場合においても、水や薬液が受電側コネクタ２２Ｂに接触することによる漏電、感電のおそれをさらに低減することができ、安全性を向上させることができる。
【符号の説明】
【００５３】
１  カート（移動什器）
４  天板
５  バッテリー部
１０  収容部
１４  第一天板支持材
１５  第二天板支持材
１６  進入部（空間形成部）
２２  受電側コネクタ（受電部）
２３  表示装置
３０  固定式テーブル（固定什器）
３２  天板
３３  給電側コネクタ（給電部）
【図１】
2012019877.tif 000003
【図２】
2012019877.tif 000004
【図３】
2012019877.tif 000005
【図４】
2012019877.tif 000006
【図５】
2012019877.tif 000007
【図６】
2012019877.tif 000008
【図７】
2012019877.tif 000009
【図８】
2012019877.tif 000010